【手続補正書】
【提出日】平成16年2月24日(2004.2.24)
【手続補正１】
【補正対象書類名】明細書
【補正対象項目名】特許請求の範囲
【補正方法】変更
【補正の内容】
【特許請求の範囲】
【請求項１】
電池に接続され、昇圧用インダクタを有し、制御スイッチがオンされたときに前記昇圧用インダクタを流れる電流が増加し、制御スイッチがオフされたときに前記昇圧用インダクタを流れる電流が減少する昇圧手段と、前記昇圧手段の出力にて充電されるコンデンサと、前記コンデンサの充電電圧を放電することで発光する発光手段とを有する閃光装置において、
電池の内部抵抗の値を検出する内部抵抗検出手段と、検出された前記内部抵抗の値に基づいて前記制御スイッチのオンとオフとを切換えることを特徴とする閃光装置。
【請求項２】
検出した前記内部抵抗の値をｒ、前記電池の電圧をＥ0としたときに、前記昇圧用インダクタを流れる電流の平均値ｉ0が
ｉ0＝Ｅ0／２ｒ
となるように前記制御スイッチのオンとなる時間を制御することを特徴とする請求項１に記載の閃光装置。
【請求項３】
前記コンデンサの充電電圧に応じて前記制御スイッチのオフとなる時間を制御することを特徴とする請求項１または２に記載の閃光装置。
【請求項４】
前記コンデンサの充電電圧が高いほど前記制御スイッチのオフとなる時間が短くなるように制御することを特徴とする請求項３に記載の閃光装置。
【請求項５】
前記昇圧用インダクタを流れる電流を検出する電流検出手段と、前記電流検出手段にて検出された電流を、前記内部抵抗の値に応じて定められた２つの閾値と比較する比較手段を有し、前記比較手段の比較結果に応じて前記制御スイッチのオンとオフとを切換えることを特徴とする請求項１に記載の閃光装置。
【請求項６】
前記制御スイッチをオンとし、前記昇圧用インダクタを流れる電流が増加して一方の閾値に達したら前記制御スイッチをオフに切換え、前記制御スイッチをオフとし、前記昇圧用インダクタを流れる電流が減少して他方の閾値に達したら前記制御スイッチをオンに切換えることを特徴とする請求項５に記載の閃光装置。
【請求項７】
検出した前記内部抵抗の値をｒ、前記電池の電圧をＥ0としたときに、前記昇圧用インダクタを流れる電流の平均値ｉ0が
ｉ0＝Ｅ0／２ｒ
となるように前記２つの閾値を設定することを特徴とする請求項５または６に記載の閃光装置。
【請求項８】
電池に接続され、昇圧用インダクタを有し、制御スイッチがオンされたときに前記昇圧用インダクタを流れる電流が増加し、制御スイッチがオフされたときに前記昇圧用インダクタを流れる電流が減少する昇圧手段と、前記昇圧手段の出力にて充電されるコンデンサと、前記コンデンサの充電電圧を放電することで発光する発光手段とを有する閃光装置において、
前記昇圧用インダクタの入力側の電圧を安定させるためのコンデンサを有し、前記電池の電圧をＥ0としたときに、前記昇圧用インダクタの入力側の電圧ＥBが
ＥB＝Ｅ0／２
となるように前記制御スイッチのオンとなる時間を制御することを特徴とする閃光装置。
【手続補正２】
【補正対象書類名】明細書
【補正対象項目名】０００９
【補正方法】変更
【補正の内容】
【０００９】
依って、本発明の目的は、１次側からの投入電力を最大化して充電時間を短縮できる閃光装置を提供することにある。


【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
【課題を解決するための手段】
本出願に係る発明の目的を実現する構成は、請求項１に記載のように、電池に接続され、昇圧用インダクタを有し、制御スイッチがオンされたときに昇圧用インダクタを流れる電流が増加し、制御スイッチがオフされたときに昇圧用インダクタを流れる電流が減少する昇圧手段と、昇圧手段の出力にて充電されるコンデンサと、コンデンサの充電電圧を放電することで発光する発光手段とを有する閃光装置において、電池の内部抵抗の値を検出する内部抵抗検出手段と、検出された内部抵抗の値に基づいて制御スイッチのオンとオフとを切換えることを特徴とするものである。


【手続補正６】
【補正対象書類名】明細書
【補正対象項目名】００１３
【補正方法】変更
【補正の内容】
【００１３】
この構成によれば、１次側の電池から最大電力を引き出せるＤＣ／ＤＣ等の昇圧手段の電流値を演算し、演算した電流値となるよう昇圧手段を連続動作させることにより、閃光装置の充電時間が最短になるような制御を行うことができる。


【手続補正７】
【補正対象書類名】明細書
【補正対象項目名】００１４
【補正方法】変更
【補正の内容】
【００１４】
本出願に係る発明の目的を実現する具体的な構成は、請求項８に記載のように、電池に接続され、昇圧用インダクタを有し、制御スイッチがオンされたときに昇圧用インダクタを流れる電流が増加し、制御スイッチがオフされたときに昇圧用インダクタを流れる電流が減少する昇圧手段と、昇圧手段の出力にて充電されるコンデンサと、コンデンサの充電電圧を放電することで発光する発光手段とを有する閃光装置において、昇圧用インダクタの入力側の電圧を安定させるためのコンデンサを有し、電池の電圧をＥ0としたときに、昇圧用インダクタの入力側の電圧ＥBがＥB＝Ｅ0／２となるように制御スイッチのオンとなる時間を制御することを特徴とするものである。


【手続補正８】
【補正対象書類名】明細書
【補正対象項目名】００１５
【補正方法】変更
【補正の内容】
【００１５】
この構成によれば、１次側の電池から最大電力を引き出せるＤＣ／ＤＣ等の昇圧手段の電圧値を演算し、演算した電圧値となるよう昇圧手段を連続動作させることにより、閃光装置の充電時間が最短になるような制御を行うことができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
【発明の実施の形態】
（第１の実施の形態）
以下、本発明の第１の実施の形態について図を参照して説明する。
図１〜図３は本発明の第１の実施の形態に係る図である。
図１は本発明の第１の実施の形態に係る閃光装置のブロック図である。
図２は図１に示す閃光装置の動作のフローチャートである。
図３は図１に示す閃光装置各部の動作波形図である。


【手続補正２４】
【補正対象書類名】明細書
【補正対象項目名】００３４
【補正方法】変更
【補正の内容】
【００３４】
スイッチ１４をＯＮして動作をスタートして、電池状態のチェックを行う（Ｓ１０１）。


【手続補正２５】
【補正対象書類名】明細書
【補正対象項目名】００４６
【補正方法】変更
【補正の内容】
【００４６】
図４において、２０は昇圧用インダクタ１５の電流センス（検出）用抵抗、２１はセンス抵抗２０の両端電圧を検出する差動アンプであり、その出力は昇圧制御回路へのＥ入力となる。２２はＥ入力を上下の基準値と比較するコンパレータが追加された昇圧制御回路である。その他前実施の形態の図１と同一構成には同一符号を付して重複する説明は省略する。


【手続補正２６】
【補正対象書類名】明細書
【補正対象項目名】００６９
【補正方法】変更
【補正の内容】
【００６９】
【発明の効果】
以上説明したように、本発明によれば、１次側電池から最大の電力を引出せるよう昇圧手段を制御するため、１次側からの投入電力を最大化して充電時間を短縮することができる。


【手続補正２７】
【補正対象書類名】明細書
【補正対象項目名】００７０
【補正方法】削除
【補正の内容】
【手続補正２８】
【補正対象書類名】明細書
【補正対象項目名】００７１
【補正方法】削除
【補正の内容】